(57)【要約】本発明は、口径薬物を患者に栄養チューブを介して供給する装置（１）に関する。該装置（１）は、好適にはキャップ又はシールされる投薬容器（２）と、留置栄養チューブ（８）への接続のためのチューブコネクタ（２３）への確実な液流（２０）とを備える。
2005526547.tif 000002
【特許請求の範囲】
【請求項１】
留置経腸栄養チューブで患者に薬物を投与するための装置であって、
前記装置はａ）、ｂ）を備える、
ａ）内面６を備える少なくとも１つの壁３を有し、ドレイン５が隣接する投薬容器２であって、該投薬容器は約２５ミリリットルから２５０ミリリットルの容量を備え、
ｂ）該投薬容器から栄養チューブへの耐−液漏れ液路、該液路は１）〜４）を備える：
１）該ドレインに確実に取り付けられたドレイン通路７；
２）該ドレイン通路７に確実に取り付けられた滴下チャンバー、前記滴下チャンバーは、滴下ポートをなす頂部と、出口ポートをなす底部と、滴下チャンバーリザーバーを構成し、それらの間に延在するシリンダー状の壁部とを有し；
３）滴下チャンバー出口ポートに確実に取り付けられたチューブであって、留置栄養チューブへの液路を構成し、前記チューブは、栄養チューブへの確実な取り付けを行うためのチューブコネクタを備え；
４）投薬容器から栄養チューブへの液流を規制する手段。
【請求項２】
請求項１の装置であって、ドレインと滴下チャンバーの間で、液路に投薬容器への空気通気孔を更に含む装置。
【請求項３】
請求項１の装置であって、投薬容器が更に該投薬容器内の液の量を測定するための手段を備える装置。
【請求項４】
請求項１の装置であって、前記投薬容器は予め測定された薬量を含むシールされたチャンバーである装置。
【請求項５】
請求項１の装置であって、容器へ薬量を加えるための頂部開口と該開口のキャップとを備える装置。
【請求項６】
請求項１の装置であって、前記投薬容器が、更に安定した搭載のための容器を搭載する手段を備える装置。
【請求項７】
請求項１の装置であって、該滴下チャンバーが可撓性を有する樹脂材料からなる装置。
【請求項８】
請求項２の装置であって、更に通気孔に薄膜が配置された装置。
【請求項９】
請求項８の装置であって、空気通気孔に置かれ、固く、しかし取り外し可能なキャップを備える装置。
【請求項１０】
請求項１の装置であって、該ドレイン通路がドレイン５に恒久的に取り付けられている装置。
【請求項１１】
請求項１の装置であって、該投薬容器は約５０ミリリットルから約１００ミリリットルの容量を備える装置。
【請求項１２】
請求項１の装置であって、前記液流を規制する手段が、該滴下チャンバーとチューブコネクタとの間に置かれ、該チューブ上のローラークランプからなる装置。
【請求項１３】
請求項４の装置であって、該シールされた投薬チャンバーの壁が可撓性材料からなる装置。
【請求項１４】
留置経腸栄養チューブに薬物を投与及び栄養溶液を供給するための装置であって、  前記装置は、中に薬物又は栄養が置かれる投薬容器２と、該容器は、内面６を備える少なくとも１つの壁３と、隣接するドレイン５と、そこを流れる液流を規制する手段を備える該投薬容器から栄養チューブへの確実な液路とを備え、
該液路はａ）〜ｄ）を備える：
ａ）該ドレインに確実に取り付けられ、該ドレインから滴下チャンバーの滴下ポートへの耐液漏れが保証された液路を構成するドレイン通路７；
ｂ）該ドレイン通路に確実に取り付けられた滴下チャンバー、前記滴下チャンバーは、滴下ポートと出口ポートとを有し、
ｃ）滴下チャンバー出口ポートに確実に取り付けられたチューブであって、留置栄養チューブへの液漏れのない液路を構成し、前記チューブは、栄養チューブへの確実な取り付けを行うためのチューブコネクタを備え；
ｄ）投薬容器から栄養チューブへの液流を規制する手段。
【請求項１５】
請求項５の装置であって、前記キャップは、搭載を安定させるための装置搭載の手段を備える装置。
【請求項１６】
留置経腸栄養チューブへ正確に薬物を投与するための方法であって、
前記方法は：
ａ）請求項１の装置を提供するステップと、
ｂ）チューブの遠心端を留置栄養チューブに確実に接続するステップと、
ｃ）液流規制手段を調整して液路の流れを停止するステップと、
ｄ）薬物療法の少なくとも１つの投薬を容器内に入れるステップと、
ｅ）液流規制手段を調整して液路を流し、薬物療法の投薬レートを調整するステップとからなる。
【請求項１７】
請求項１６の方法であって、容器内の投薬をシールして、予め測られた投薬を備えるシールされたチャンバーを作るステップを含む方法。
【請求項１８】
請求項１７の方法であって、該シールされたチャンバーに閉成可能な空気通気孔を提供し、要求により該空気通気孔を開き、該チャンバーからの液流を保証する方法。
【請求項１９】
請求項１６の方法であって、容器の壁に付けられた量の印を用いて、容器からドレインへ、又は、容器へ加えられた投薬の量を測定する方法。
【請求項２０】
請求項１６の方法であって、容器の壁に付けられた量の印を用いて、薬物療法の投薬の監視する方法。
【請求項２１】
請求項１６の方法であって、装置が更に投薬容器の頂部開口のキャップを有し、
容器に薬物を入れた後に投薬容器にキャップする方法。
【発明の詳細な説明】
【背景技術】
【０００１】
経腸栄養法は、通常の食物を食べ、呑み込むことができない人に対して行われる。経腸栄養法の典型的な装置は、経腸栄養溶液を胃あるいは小腸へ供給するための装置を遠心端に備え、栄養チューブと呼ばれる単一の管腔チューブ構造から成る。栄養チューブは、患者の鼻咽腔を介して胃あるいは小腸へ通されることがある。また、腹壁の孔を介して通されることもある。栄養チューブの近位端は、コンテナと一体に製造されるかしっかりと固定されたチューブセットを介して、経腸栄養溶液のコンテナにしっかり接続される。栄養溶液は、予め満たされた袋、あるいは直立リザーバーコンテナから供給させ、また、現場で供給させることができる。患者に栄養チューブを取り付けることは特別な訓練を必要とする。チューブが適切に決まった部位に取り付けられたなら、外れないようにする努力がなされる。同様に、必要になるまで、栄養チューブは外され、即ち、撤回されない。また、チューブが一旦取り付けられたなら、投薬が口を通して行われることはない。
【０００２】
２５０ml以上の栄養溶液直立リザーバーコンテナ内の栄養溶液へ薬物を加えることは、正解とは言えない。栄養溶液へ薬物を添加することは不要に薬物療法の時間を増大させることになる。加えて、薬物を栄養溶液へ全て完全に混ぜていないなら、栄養溶液に投入された薬物の投薬量と与えられた口径投薬量との計算が難しくなるだけでなく、正確に計測することも難しくなり、栄養溶液の量よりも投薬の量がはるかに少なくなる。栄養溶液の容器が、耐−混入容器であるなら、口径薬物を栄養溶液へ混入させることは不可能であろう。実際に、変質・汚染を妨ぐように、知られた量と成分が固定された、耐−混入容器、バッグにより栄養溶液は経腸栄養溶液は供給される。
【０００３】
注入器を用いて留置栄養チューブの解放端へ投薬を試みることはできるが、良好な接続と、正確な投薬は不可能である。典型的な留置栄養チューブの解放端には、コーンの内側のように形作られたポートが備えられている。それは、直立リザーバーのチューブセットのノズルチップを収容するために作られる。ポートは可撓性を有するゴム状プラスチック材料から成り、例えば潅漑注入器の先端は受け入れのためにポートへ押し込むことができる。しかしながら、耐−漏れ性を備えるものではない。より新しい栄養チューブは、潅漑と薬物の投与のためと言われるＹ字ポートを備えている。しかしながら、もう１つの同様に形作られたポートは、漏れを妨ぎ、装置を安定させるために、ポートへのいっそう安全な取り付け具を作る手段を供給しない。
【０００４】
（栄養チューブが取り付けられ）経腸栄養溶液を用いている在宅患者が、ポートに６０ml注入器容器のチップを保持するように指示され、該注入器容器に栄養溶液を注ぐ。この分配手順は、栄養補給を行う患者はかろうじて行うことができるが、看護スタッフにとっては不適切なことである。更に、正しい投薬を監視するのに一般的に用いられる耐漏性シール、滴下チャンバー、クランプを欠けている。
【０００５】
栄養ポンプを用いる経腸栄養法のためのチューブセットの例としては、Ross Medical Nutritional 製ポンプと、貫通ピンを用いる重力セット、Rossのポンプを用いず、貫通ピンを用いるRoss Nutritionalの経腸ポンプセットがある。いずれのチューブセットも、栄養溶液バッグ、リザーバに設けられたピンポートに接続する貫通ピンを備える。貫通ピンは、滴下チャンバー、チューブの通路に沿って圧縮するローラクランプを備えるチューブ路に接続され、留置栄養チューブのアタッチメントとして、先端にノズル型をしたコネクタを有する。他のチューブセットではピンの代わりに貫通孔が設けられている。チューブセットと共に用いられる栄養溶液コンテナは貫通した開口を有している。多種多様なチューブセットが商業的に利用可能であるが、留置栄養チューブで正確に薬物療法を行うために、注入器のような、投薬容器に付随する手段が与えられていなかった。更に、商業的に利用可能な経腸栄養コンテナは、良好な投薬容器ではない。その大きなリザーバのサイズにより、薬物がコンテナの内壁に被覆し、投薬された薬物の一部が残り、少量の投薬を不適切にしている。
典型的に薬物は、チューブセットでアクセスできる小容量のコンテナに収容されていない。適切なコネクタ無しでは、栄養チューブへの取り付けは不安定になり、看護婦は取り付けを安定させるように保持することが求められる。偶発的な不安定状態、即ち、非−接続状態は、漏れを引き起こし、与えられた薬物についての知識はある看護婦も、量が分からなくなる。与えられなかった薬物を修正することは不可能であるかもしれない。かなりの努力が払われても、不安定な接続は完全な薬物療法の投薬を不可能にする。患者に別のチューブを取り付けることは解決にならない。
【０００６】
米国特許５,５２７,２８０には、腹部孔から胃への設けるための胃（腹部用）の栄養チューブであって、胃チューブを通る狭い空腸栄養チューブを示している。胃栄養チューブは、遠心端が胃内に気球によって保持される。胃への栄養は、胃チューブの孔を介して行われる。狭い空腸栄養チューブは、胃栄養チューブを介して小腸に通されることがある。この装置は、胃チューブへの空腸チューブの挿入なしに、胃からの胃栄養供給を可能にするように設計されている。トレードオフは、大きな直径の装置を挿入するためのより大きな直径の孔にあり、チューブを並べることが必要になる不規則形状の気孔口を作り出す利点があると考えられる。
【０００７】
当該装置は、栄養−薬物投与装置として記載されており、空腸チューブが栄養供給に用いられた後は、該胃チューブは投薬に用いることができる。胃から空腸への栄養補給に切り換えられた後は、内腔は胃チューブ開口を介して薬物を導入する位置にある。しかしながら、空腸栄養補給レートは、胃栄養補給レートよりもかなり遅く、口径投薬の代わりの供給路の切り換えを簡単には行えない。加えるに、胃及び空腸チューブのポートは、栄養チューブセット全体への取り付け器として作られており、小さな投薬容器への接続手段を有しない。即ち、いろいろな内腔への装置が提供されているが、栄養チューブを通して断続的に薬物を投与するのに適切な手段は供給されていない。
【０００８】
米国特許５,０７１,４０５が、複数のポートを備え単一の内腔の腹部孔栄養チューブを示している。該栄養チューブは３個のポートを備える。一つは径腸栄養溶液の主入口ポートである。他は、Ｙ字ポートで、薬物の投与のためと、必要なときの胃吸い上げのためである。最後のポートは、皮膚に対して装置を固定する気孔周りの皮膚に隣接する気球に空気を送り/抜くために供給される。Ｙ字ポートは、内腔が用いられないとき使用するためのプラグを備えている。構造に関して、この装置は、留置栄養チューブの開口端に単にＹポートを加えたことに類似している。Ｙポートは、栄養補給の間に薬物を供給するための方法を提供していることは明らかであるが、使用中に、Ｙポートを通して薬物を投与することは非常に時間がかかり、難しい。経腸栄養溶液のコンテナへ薬物を加える際に、チューブの栄養溶液に混ぜるため、投薬時間は遅くなる。加えて、栄養供給への困難性が、薬物の投与の量とタイミングに影響を与えかねない。付加された複数のポートは、汚染を生じる多数のアクセスポイントを提供し、繰り返し清掃することを必要とする。多数のポートを供給することは、ポートに何を取り付けることが必要か、即ち、正確に薬物療法の投薬を行うため、栄養チューブのポートに固く、そして信頼できるように取り付けれる、確実な液路を備える投薬容器を教示も示唆もしていない。そこで、留置経腸栄養チューブを介して患者に薬物投与を行う安定した、確かな接続が未解決になっている。
【０００９】
本発明の装置の使用が多くの利点を供給する。看護婦が多くの薬物を投与しなければならない時、薬液がつがれて、投薬容器に蓄積され、そして、留置栄養チューブの開口ポートの中に投与される。加えて、看護婦は、容器に蓋をし、装置を搭載する片方又は両方を行え、薬物を間違えて投与する、即ち、非−安全である危険を早く排除できる。本発明の装置は、看護婦により栄養チューブの開口ポートへの確実な付属品の取り付けを行わせ、そして両方の手を付属品から離すことを許容する。もし枕許において投薬容器を満たすなら、看護婦は投薬容器の中に薬物そして／あるいは食物を置いて、そして、正確且つ正しく必要な薬物そして／あるいは食物を投与するために自由に両手を使える。加えて、彼女は装置を取り付け、栄養溶液の缶を開けるための両手を自由に使える。
【００１０】
発明の要約
本発明は、径腸栄養供給を行っている患者の留置栄養チューブの、正確な薬物投与のための装置を供給する。装置は液路に確実に接続した小さい投薬容器を持っており、そしてそれは 留置栄養チューブの開口端への液漏れのない接続を行う。投薬容器は容器に薬物療法を加えるための頂部開口を有することができる。薬物を加えた後で、液漏れし難いキャップが、もし望まれるなら、頂部開口の上に取り付けられるかも知れない。他の望ましい実施形態では、容器はシールされ、予め測られた投薬を収容するシールされたチャンバーを形成する。投薬容器、即ち、シールされたチャンバーは、およそ２５ミリリットルから２５０ミリリットル、好適にはおよそ５０からおよそ１００ミリリットルまでの容量を備えることができる。好適には、容器即ちチャンバーは、容量等級のラインを備え、それで看護婦は容器即ちチャンバーから投与された薬物の量を監視できる。キャップに、装置の搭載が安定するように吊り下げリングのような手段を備えることは同じく望ましい。
【００１１】
留置栄養チューブに安定したアタッチメントを作るため、液路の遠心端に栄養チューブコネクタ２３が置かれる。容器とコネクタとに介在し、チューブは；チューブを通る液流を止め、確立し、あるいは制限するローラークリップのような液流を統制する手段（１）と；ローラークリップと投薬容器との間に介在し、液流のレートを表示する滴下チャンバー、又は他の手段（２）と；を通る。液流を規制する手段は、容器を満たす流れを止め、即ち、薬物の投与を止める手段と、液流を再設定する手段と、滴下チャンバーでの液流のレートを監視するため液流を制限する手段とを備える。本発明の装置は、看護婦が容易にそして安全に留置径腸栄養チューブで患者へ薬物を投与することを可能にする。望ましい実施形態で、投薬容器は注入器シリンダーに類似している、そしてそれは統合的に形成されるか、あるいは、滴下チャンバーと確実に付加される。本発明は、また薬物療法と本発明の装置を用いるボーラス（bolus)栄養補給を行うための方法とを含む。
【発明を実施するための最良の形態】
【００１２】
本発明の装置１の望ましい実施形態が概ね図１に示される。これは、２５ミリリットルから２５０ミリリットルの容量を有する投薬容器２を備える。この望ましい実施形態で、投薬容器は形で円筒状であって、段階線４が設けられ、容器内の液量を表示する。図中に示されているように、投薬容器が頂部開口９と、少なくとも１つの（円筒状の）壁３を持っている。容器が一つの壁を持っていることも、また、円筒状である必要もないが、この形状は、伝統的に液の投薬のための容器に好まれている。注入器のシリンダーは、
（１）栄養チューブの適切な配置を確認するステップ、
（２）チューブ＆胃に前回の栄養補給の際に残っている栄養溶液を取り除くステップ、
（３）栄養供給あるいは薬物療法の後に水を栄養チューブに注入するステップを行うため、プランジャーを容易に収容できるように完全なシリンダ形状にされている。好適には容器の壁は堅い素材で形成されているが、可撓性を有する容器であっても本発明を構成することができる。
【００１３】
容器壁３は、内面６を有し、壁の底部に隣接するドレイン５にて液を通す。ドレイン通路７は、容器ドレイン５にしっかりと取り付けられている。ドレイン通路は、液路８の残りとしっかり取り付けられ、投薬容器から栄養チューブへ確実な液流を生み出す。確実な取り付けを行うため、部品は一体に形成することもでき、永久的な安全のため、例えば耐液漏れスナップ、或いは、他の確実な取り付け手段を用いることもできる。図示されているように液路は、公知のチューブセットの部材、即ち、空気通気孔１６、滴下チャンバー１１、クランプ２１を備えるチューブ２０からなる。 チューブの遠心端にはコネクタ２３が備えられ、（患者の胃に取り付けられている）留置栄養チューブへの確実な接続を行う。コネクタは、例えば、貫通された取り付け器で、典型的には、コーン形状のノズルコネクタで、２３として示されているようにチューブ２０の端に置かれる。
【００１４】
図１が、予め測定された投薬２５、安全にされたキャップ２４を備える本発明の装置の好適な実施形態を示している。容器は、キャップ２４なしで、開口させた状態で用いることができるが、容器に薬物が投与された後に、キャップ２４を付けることができる。キャップは、開口９にスナップ固定して、外されるまで固定しており、開口の強固な液シールを作り出すことが好適である。必要であるなら、キャップは開口を恒久的にシールし、耐−干渉封止チャンバー２６を作り出すこともできる。好適な実施形態では、例えばｉｖ支柱への安定した搭載を行うため、つり下げリングのような手段２７で、キャップを支持する。ドレイン通路７の確実な取り付けがないと、装置に偶然に突き当たることが装置を不安定にし、使用を難しくし、最悪の場合に、液路の残りに液漏れを生じさせる。
【００１５】
投薬容器２からコネクタ２３までの液流を確立し、規制し、そして終わらせる手段として、例えばローラークランプ２１が、投薬容器２の開口、即ち、閉じたチャンバーとチューブコネクタ２３との間に設けられている。チューブは、ローラークランプ２１と回転輪２２との間に延在している。回転輪２２は、該回転輪を回してチューブから離す又は向かうように動かすことで、液量を調整し、液流を停止させ、液流を再開させるように、クランプに接続されている。これは看護婦、あるいは世話人が投薬容器、即ち閉じられたチャンバーから薬物の投与を止めるか、あるいは調整することを可能にする。加えるに、これは緊急時の場合に、看護婦が患者を動かすこと、又は、枕許を去ることを可能にする。最後に、ローラークランプにより流れを止め、流れを再度確立する機能は、看護婦あるいは薬剤師が、看護婦室あるいは薬局において容器に前もって満たしておくことを可能にする。
【００１６】
投薬容器２とローラークランプ２１の中間は、装置を通る流れを示す手段であり、それは典型的には滴下チャンバー１１からなる。滴下チャンバーは滴下ポート１２と円形の壁１３と出口ポート１５を有し、それは滴下チャンバーリザーバー１４を規定する。滴下チャンバーリザーバーの大きさと流レイトとは、液体が完全に滴下チャンバーリザーバーを満たさないが、滴下チャンバーの透明な壁を通して流レートを視認可能にするためポート１２から滴下するように設定される。滴下チャンバーが可撓性を有するように、樹脂素材、例えばプラスチックで構成されたなら、滴下チャンバーの壁１３を挟むことでドレインからの逆流を作り、容器ドレイン５内に収容されている粒子を排出し、投薬は通路７へ流れる。
【００１７】
図１に示されている好適な実施形態で、逆Ｙの一通孔の空気通気孔１６は、滴下チャンバーと投薬容器の間に位置できる。図２中に一方通孔の空気通気孔１６の構造の例が示されている。通気孔は横アーム１７に形成され、これは、投薬容器へ通じる空気の通路を提供する。ボール１７ａが、横アームに作らたソケット１７ｂに位置する。この一方向の通気孔は横アーム１７を通して投薬容器に空気が入るのを許容する、しかし横アームから容器への液流を妨げる。横アーム１７は、カップ１９を備え、それは横アーム上に置かれる時、横アームの開口に空気透過性の薄膜１８を配置する。装置はそれで空気−出口を与えられるが、アーム内又は外への液の移動は妨げられる。
【００１８】
図３は、図２の装置を長さ軸周りに９０°回転させて示している。図１に斜視図で示されている肩２８は、図３中で更に明らかに示されている。肩は滴下チャンバーと装置全体を把持することを容易にしている。
【００１９】
使用中に、本発明の装置は多くの利点を供給する。
看護婦が多くの薬物を投与しなければならない時、別のカップあるいはコンテナが通常トレーの上に置かれて、そして患者の枕許に持って行かれる。時々、液体薬物は例えば 30ml.のカップの中に、あるいは直接投薬容器の中につがれて、そして患者に投与される。粉末薬物が水と混ぜられて、患者に投与される。薬物は、ノーズが栄養チューブの開口ポートの中に押し込まれた注入器に置かれる。しかしながら、注入器とポートの間の結合は強固でなく、安定させるために、瞬間的に２本の手を必要とすることもあり得る。たとえ看護婦が一方の手でポートに注入器を持ってしばらくよくても、栄養溶液の缶が開封されていないなら、看護婦はそれを開けるための自由な２本の手を持っていない。安全ではない、ラベルされていない薬物が受け入れ難い威嚇となるため、看護婦は、全ての薬物が投与されるまで、患者の部屋を去ってはならない。本発明の装置は、看護婦が投薬容器に薬物を集めて、容器に蓋をし、装置を搭載することの何れか又は両方で、安全ではない、即ち、誤薬物投与の危険性を速く排除できる。加えるに、看護婦が 留置栄養チューブの開口ポートにチューブコネクタの取り付けを確実に行ったなら、接続を保持することが必要とされない。それで看護婦は薬物療法そして／あるいは食物の投与に集中するために両方の手を自由に使える。
【００２０】
容器ドレーンは確実にドレイン通路に接続されているので、液路の残りは確実に取り付けられ、看護婦は接続部を保持する必要も、接着テープで安定させる必要もない。テープでの接続は液体に対して確実ではなく、コネクタ及びチューブ端に接着剤の残留物が残る。接着剤の残留物は、投薬容器を次に使う際に影響を与えることがあり、栄養溶液リザーバー、即ち、ポンプから延在する栄養チューブの下方端に再接着することがある。
【００２１】
容器でドレイン通路と液路チューブの残りと確実に接続され、看護婦は片手で容器を持ち、流路の残りとドレイン通路とのシールが壊れることに煩わされることなく、容器の開口に力を加えてキャップすることができる。加えて、部材の確実な取り付けで、例えばＩＶ柱に安定に搭載して装置を安全にするため単一の手段２７を用いることを可能にし、容器と流路との間の液シールを危険性なく使用させられる。
【００２２】
薬物療法の正しい量を測って、そして投与することは、段階線４を参照することによって達成できる。粉末の薬物あるいはつぶされた錠剤を投与する時、それらは水に混ぜられて、投薬容器に置かれ、そこから投与される。液路が塞がれたなら、看護婦は滴下チャンバー１１を絞って、閉められたチャンバー又は解放した投薬容器のドレイン５に滞留している粒子を排出させる。
【００２３】
通気口の横アームへ流入した空気は、容器に移動し、投薬量の液量に置き換わり、これにより、容器からの液の排出を補助する。投薬の投与に付き添いが要求され、もし看護婦が枕許を去る必要があったなら、液流を止めることができる。薬物の投与に続いて、装置は、留置栄養チューブから外され、潅漑注入器と同じように洗い流されて、栄養溶液リザーバー、即ち、ポンプから出されているチューブへ再度接続する。
【００２４】
薬物療法の投与を始めるために、チューブセットは 留置栄養チューブから外される。潅漑注入器が、空気あるいは液体をチューブに押しやることによって、栄養チューブの遠心端の配置を確認するために用いられる。チューブコネクタ２３が、そのとき、留置栄養チューブの解放端に取り付けられる。投薬容器から留置栄養チューブまでの液流が、クランプ２１のような液流規制手段により確立される。本発明の装置で投薬量を投与した後で、チューブコネクタ２３は栄養チューブから分離され、栄養チューブは洗い流されて、栄養溶液リザーバー、即ち、ポンプから出されているチューブへ再度接続する。注意して置かれた経腸栄養チューブは用いられ、外されず、リザーバー即ちポンプ栄養チューブに簡単に取り付けられる。一般的な検討として、少なくとも100mlの水が薬物療法の投薬の前と後に栄養チューブを洗い流すことに対して必要とされる。
【００２５】
本発明の方法で、枕許、看護婦室、あるいは薬局において容器に薬物を加ることができる。幾つかの投薬は固定量であり、他方、水で溶かした固定量の粉末薬は変化し得る量である。投薬容器を満たすことは、最初に、ローラクリップ２１で回転輪２２を回転させることによって操作させ、液路を通る液流を止めることが要求される。容器に薬物を加えた後で、容器は開いたままにしておいて、キャップ及び／あるはシールして、シールされた定量投薬チャンバーを形成することができる。栄養供給ポンプは、液流を干渉、又は、規制する手段を有することができ、容器に残る投薬は装置に接続された流れを規制する手段を必要とする。留置栄養チューブの開口端にチューブコネクタ２３を接続した後、クランプを開けることで、流し始め、そして、流れが規制される。
【００２６】
液路の種々の要素の構成がここに、好適な順序及び構造で表されているが、他の順序、例えば、通気孔、滴下チャンバー、クランプを液路に沿って並べることも可能である。本発明の装置は 留置チューブへのボーラス（bolus)栄養補給に用いることも可能である。その場合には、ボーラス投与の間、看護婦をベッドサイドを動き回って他の介護に向かわせるのに、安定な搭載手段を付加する。本発明の装置の留置栄養チューブを用いる家に送られた患者は、栄養溶液のボーラス投与を、キャップ、搭載手段、同様に栄養チューブへの液漏れしない固定の装置を便利に用いることができる。
【００２７】
現時点での本発明の望ましい実施形態であると信じられるものを記述したが、当業者は、発明の精神から離れることなく改変、変更を行い得るであろう。係る改変、変更を発明の真の範囲に含むように請求の範囲が意図されている。
【図面の簡単な説明】
【００２８】
【図１】予め測られた投薬を内蔵し、投薬容器のための好適なキャップを示す本発明の装置の望ましい実施形態の斜視図である。
【図２】本発明の好適な実施形態の縦断面図である。
【図３】図２に示された装置を長さ方向に９０度回転させた縦断面図である。
【図１】
2005526547.tif 000003
【図２】
2005526547.tif 000004
【図３】
2005526547.tif 000005
【国際調査報告】
2005526547.tif 000006